(57)【要約】  【課題】        ハリス付き釣り針を係合させるための台紙にあって、釣り針を手際よくスムーズに取り出し得るようにすることを目的とする。  【解決手段】    長尺状の紙板片の下方部に折り返し片部を形成し、折り返し片部の一方側に、棒体の端部を差し入れ保持し得る切り込み部を形成し、該切り込み部によって、棒体を片側保持させるとともに、棒体の近傍位置に、釣り針から延出したハリスを棒体の中程位置に導くためのハリス保持部を形成した構成となっており、また、紙板片の上方部に配置される針掛け部の上縁部が、板片の上縁部より上方側に突出した台紙。  【選択図】    図４
2007289072.tif 000002
【特許請求の範囲】
【請求項１】
板片２の下方部に折り返し片部３を形成し、板片２、あるいは折り返し片３の片側位置に、棒体５の端部を差し入れ保持し得る切り込み部４を形成し、該切り込み部４によって、棒体５を片側保持させるとともに、棒体５の近傍位置に、釣り針６から延出したハリス７を棒体５の中程位置に導くためのハリス保持部９を形成したことを特徴とするハリス付き釣り針の係合用台紙。
【請求項２】
板片２の上方部に配置される針掛け部８の上縁部が、板片２の上縁部より上方側に突出したことを特徴とするハリス付け釣り針の係合用台紙。
【発明の詳細な説明】
【技術分野】
【０００１】
この発明は、釣り針にハリスを結び付けた釣り針を包装するための台紙の改良に関するものである。
【背景技術】
【０００２】
釣り針にハリスを結び付けた釣り針を販売するに際しては、細長上の紙板片の上端部に形成した針掛け部に釣り針を並べた状態にして掛け止めるとともに、釣り針から延びたハリスを、板片の下方部に形成した糸止め部に掛け止め、それを透明袋に納めた状態にして行なわれるのが普通である。
【０００３】
このような釣り針を係合させる台紙は、各釣り針のハリスを乱れさせることなく係合でき、また、釣り針の使用の際に、１本づつ手際よく取り出し得るように構成されている必要があり、一般的には、二つ折りした台紙の上端部に針掛け部を形成するとともに、裏面側に配置される板片の端部に切り込み部を形成し、ハリスをその切り込み部に差し入れることによって係合させる構成となっており、全ての釣り針を係合させた後、裏面側の板片を折り畳んでハリスを包み込むことによって、ハリスの絡みを防止し得る構成となっているのが普通である。
【０００４】
しかし、台紙の端部に形成した切り込み部に太いハリスを係合させた場合、釣り針の引き出しの際の抵抗が非常に大きくなって、取り扱いが難くなり、また、細いハリスを係合させた場合には、ハリスが切り込み部の奥まで食い込み、強引に引き抜こうとすると、係合個所が延びてパーマ状になるという欠点があるのである。
【０００５】
このような欠点を除去しようとするものとして、最近では、特許公開２００４−３１３０６７号に記載のものが提案されているのである。そこに記載されている台紙は、台紙の下方側に細棒を配置させ、釣り針の係合の際して、その細棒にハリスを掛けるようにすることによって、掛け止められたハリスをトラブルなくスムーズに引き出せるようにし、それによって、従来の構成のものにみられた欠点を除去しようとするものである。
【発明の開示】
【発明が解決しようとする課題】
【０００６】
特許公開２００４−３１３０６７号に記載の台紙は、台紙の下方部に穴を形成するとともに、穴の両側部に切り込みを形成し、その切り込み部に細棒の両側部を差し入れて支持し、ハリスの係合に際しては、穴部にハリスを通した状態にして行なう構成となっているため、ハリスを掛け止める作業が大変面倒になるという欠点を内在しているのである。
【０００７】
この発明は、ハリス付きの釣り針を簡単に係合させ得るようにするとともに、従来のものにみられた上記のような欠点を除去しようとするものである。
【課題を解決するための手段】
【０００８】
この発明は、ハリス付きの釣り針を係合させるための台紙に関するものであって、紙板片の下方部に折り返し片部を形成し、折り返し片部の一方側に、棒体の端部を差し入れ保持し得る切り込み部を形成し、該切り込み部によって、棒体を片側保持させるとともに、棒体の近傍位置に、釣り針から延出したハリスを棒体の中程位置に導くためのハリス保持部を形成した構成となっており、また、紙板片の上方部に配置される針掛け部の上縁部が、板片の上縁部より上方側に突出した構成となっているのである。
【発明の効果】
【０００９】
この発明に係るハリス付き釣り針の係合用台紙は、上記のような構成であり、釣り針を係合させるに際して、釣り針を針掛け部に掛け止めた後、ハリスを棒体の支持側と反対側に導き、支持側に引き入れるという極めて簡単な操作によって、ハリス付きの釣り針を係合させ得るという利点があり、また、掛け止められたハリスは、ワンタッチ操作によって係合させ得る構成のハリス保持部によって位置決めがなされているので、ハリスが不用意に棒体から外れるといったトラブルを防ぐことが可能となっているのである。
【００１０】
たま、台紙の上方部に係合される釣り針は、台紙の上端縁よりも突出して配置された針掛け部によって保持されており、釣りに際しての釣り針の取り出しが極めて簡単に、手際良く行ない得るという利点があるのである。
【実施例】
【００１１】
図面にもとづいて、この発明の実施例を説明すると、台紙本体１は、図１ないし図４に示すとおり、両側部に折り曲げ片２ａ・２ｂを有する長尺状の紙板片２の下方部に折り返し片３を形成し、折り返し片３の一方側に、棒体５の端部を差し入れ保持し得る切り込み部４を形成し、該切り込み部４によって、棒体５を片側保持させるとともに、棒体５の近傍位置に、釣り針６から延出したハリス７を棒体５の中程位置に導くためのハリス保持部９を形成し、また、紙板片２の上方部にはカバー１０を有する針掛け部８を配置させ、針掛け部８の上縁部が、板片２の上縁部より上方側に突出した状態となるようにして配置したことを特徴とするものである。
【００１２】
すなわち、紙板片２は、両側部に折り曲げ片２ａ・２ｂを有するとともに、その下方部に、上方に向けて折り曲げる折り返し片３を形成し、上方部には凹部１１、４本の切り込み部１２ａ・１２ｂ・１２ｃ・１２ｄ、ハリスを一定の位置に保持させるためのハリス保持部１３を形成した構成となっているのである。
【００１３】
針り掛け部８は、透明の樹脂板で形成されており、その裏面部に薄い透明の樹脂板で形成された舌状片を配置させて熱溶着させた構成となっており、その基部に形成された幅狭部１６を板片２に形成された切り込み部１２ａに差し込むことによって板片２に取り付け得る構成となっており、差し込み固定した場合、針掛け部８の上縁部が板片２の上縁部から突出した状態となるように形成されているのである。
【００１４】
折り返し片３は、板片２の下方部に形成されており、その一方側に、棒体５の端部を差し入れ保持し得る切り込み部４を形成し、該切り込み部４に棒体５の端部を差し入れ、切り込み部４全体を引き上げる操作をすることによって、棒体５の片側を支持した状態で保持させるとともに、棒体５の近傍位置に、釣り針６から延出したハリス７を棒体５の中程位置に導くためのハリス保持部９、ハリス７を上方に向けて反転させる切り込みハリス保持部１４、反転させたハリス７を上方側に向けて保持させるためのハリス保持部１５を形成し、また、折り返し片３の下端部には、ハリス７を掛け終えた後、折り返し片３を板片２側に折り曲げた状態にして止めるための掛け止め片１８が形成された構成となっているのである。なお、この切り込みハリス保持部９・１３・１４・１５は、二つの小孔を円弧状の切り込み部により連結した構成となっており、円弧状の切り込み部を指先で引き起こしてハリス７を差し入れることにより、ワンタッチ操作でハリスを保持し得る構成となっており、また、棒体５を支持するための切り込み部４は、図３並びに図５に示すとおり、一方側に棒体５が入いる孔１９で、その孔１９の上下位置に小さな切り込み２０・２０を形成した部分と、その横部に形成した切り込み部２１とから構成されているのである。
【００１５】
この発明にかかる台紙本体１は、上記のような構成であって、ハリス付きの釣り針を係合させるに際しては、針り掛け部８に複数本の釣り針６・・・を整然とした形にして掛け止めた後、カバー１０を折り返し、その先端側を切り込み部１２ｃあるいは１２ｄへに差し込んで固定するとともに、釣り針６から延出したハリス７・・・を切り込み部１２ｂ・１２ｃ・１２ｄのいずれか（針の大きさにより適当なものを選択する。）に差し入れて裏側に導き、ハリス７・・・を棒体５に掛け合わせた後、ハリス７・・・をハリス保持部９、ハリス保持部１４、ハリス保持部１５、並びにハリス保持部１３に順次導いて保持させ、その後、折り曲げ片２ａ・２ｂ、並びに、折り返し片３を折り畳んだ状態にし、最後に、掛け止め片１８を折り曲げて板片２の上縁部に掛け止めるという手順によって行なわれるのである。
【図面の簡単な説明】
【００１６】
【図１】釣り針を台紙本体に係合した状態を示す斜視図である。
【図２】釣り針を台紙本体に係合した状態を示す斜視図である。
【図３】台紙本体の構成を示す分解斜視図である。
【図４】仕掛本体の構成を示す斜視図である。
【図５】棒体を保持するための切り込み部の構成を示す拡大斜視図である。
【符号の説明】
【００１７】
１  台紙本体
２  板片
３  折り返し片
４  切り込み部
５  棒体
６  釣り針
７  ハリス
８  針掛け部
【図１】
2007289072.tif 000003
【図２】
2007289072.tif 000004
【図３】
2007289072.tif 000005
【図４】
2007289072.tif 000006
【図５】
2007289072.tif 000007